(57)【要約】【課題】使い勝手の良い吊り具を提供することにある。【解決手段】パイプ材等の他部材に掛止可能な吊手部４と、吊手部４から延びる複数の支柱部６ａ〜６ｄと、各支柱部６ａ〜６ｄの端部に設けられて容器３０の開口縁部３２を保持可能な保持部８とが一体化されてなり、容器３０の開口縁部３２を保持部８で保持した状態で、複数の支柱部６ａ〜６ｄがそれぞれ自立した状態となる構成とし、複数の支柱部６ａ〜６ｄが、その自立方向に長尺な平板状の本体部と、本体部から隆起する平板状の補強部が一体化されてなるとともに、本体部に、その短尺方向外方に突出する複数の凸部１０ａと、凸部１０ａよりも短尺方向内側に凹む凹部１０ｂが、本体部１０の長尺方向に向けて順次形成される。【選択図】図１
2015065838.tif 000002
【特許請求の範囲】
【請求項１】
植物を収納可能な容器に取付けられる吊り具において、
前記吊り具が、パイプ材等の他部材に掛止可能な吊手部と、前記吊手部から延びる複数の支柱部と、前記各支柱部の端部に設けられて前記容器の開口縁部を保持可能な保持部とが一体化されてなり、前記容器の開口縁部を前記保持部で保持した状態で、前記複数の支柱部がそれぞれ自立した状態となる構成とし、
前記複数の支柱部の少なくとも一つが、その自立方向に長尺な平板状の本体部と、前記本体部から隆起する平板状の補強部が一体化されてなるとともに、
前記本体部に、その短尺方向外方に突出する複数の凸部と、前記凸部よりも短尺方向内側に凹む凹部が、前記本体部の長尺方向に向けて順次形成される吊り具。
【請求項２】
前記各支柱部が、前記保持部を構成する端部側で二又に分かれており、
取付け状態時の前記吊り具を基準として、前記容器の開口縁部を挟んで、前記各支柱部の一方の端部が、前記保持部の一部をなして前記容器の外方側に配置するとともに、前記支柱部の他方の端部が、前記保持部の他部をなして前記一方の端部よりも前記容器の内方側に配置し、
前記保持部が、前記保持部の一部に設けられて前記容器の開口縁部にその外側から係止可能な第一係止部と、前記保持部の他部に設けられて前記容器の開口縁部に設けられた孔部に挿設状態で係止可能な第二係止部とを有する請求項１に記載の吊り具。
【発明の詳細な説明】
【技術分野】
【０００１】
本発明は、植物を収納可能な容器（植木鉢等）に取付けられる吊り具に関する。
【背景技術】
【０００２】
この種の吊り具として、特許文献１に開示の吊り具が公知である。この吊り具（樹脂製）は、フック状の吊手部と、吊手部から延びる３本の支柱部と、植木鉢（容器）の開口縁部を保持可能な保持部とを有する。
各支柱部は、ワイヤ状の部位であり、上端側が吊手部に連結する。また各支柱部の下部は二又に分かれておりその端部側に保持部が形成される。保持部は、略Ｕ字状の平板部位であり、その先端側が内側に折り返し状とされて（係止部が形成されて）、容器の開口縁部を把持しつつその下端に係止可能である。
公知技術では、上方視で略円形状の植木鉢（容器）に吊り具を取付ける。このとき３本の支柱部を、植木鉢の外形に倣って略円形状となるよう略等間隔に広げたのち、これらの端部（保持部）を容器の開口縁部に係止しつつ把持する（保持する）。そして吊手部をパイプ材等に引っ掛けることで、植木鉢を吊り下げ状態とすることができる。
【先行技術文献】
【特許文献】
【０００３】
【特許文献１】特開２０００-３１６３８７号公報
【発明の概要】
【発明が解決しようとする課題】
【０００４】
ところでこの種の植木鉢では、朝顔やクレマチスなどのような蔓性の植物を栽培することがある。そして植物の蔓を、支柱部に沿わせたのちこれらの周囲に紐材を巻き付けて保持する（蔓の誘引を行う）。
しかし公知技術の支柱部はワイヤ状であることから、蔓の誘引作業時などにおいて紐材が滑り落ちることがあり、使い勝手に劣る構成であった。
本発明は上述の点に鑑みて創案されたものであり、本発明が解決しようとする課題は、使い勝手の良い吊り具を提供することにある。
【課題を解決するための手段】
【０００５】
上記課題を解決するための手段として、第１発明の吊り具は、植物を収納可能な容器に取付けられる吊り具である。
そして吊り具が、パイプ材等の他部材に掛止可能な吊手部と、吊手部から延びる複数の支柱部と、各支柱部の端部に設けられて容器の開口縁部を保持可能な保持部とが一体化されてなり、容器の開口縁部を保持部で保持した状態で、複数の支柱部がそれぞれ自立した状態となる構成である。この種の吊り具は、例えば蔓の誘因作業をスムーズに行えるなどの使い勝手の良い構成であることが望まれる。
そこで本発明では、複数の支柱部の少なくとも一つが、その自立方向に長尺な平板状の本体部と、本体部から隆起する平板状の補強部が一体化されてなる（強度に優れる構成である）。そして本体部に、その短尺方向外方に突出する複数の凸部と、凸部よりも短尺方向内側に凹む凹部が、支柱部の長尺方向に向けて順次形成される。
本発明では、支柱部に順次設けられた凸部と凹部にて、例えば蔓誘引用の紐材を安定的に保持することができる。
【０００６】
第２発明の吊り具は、第１発明の吊り具であって、各支柱部が、保持部を構成する端部側で二又に分かれている。そして取付け状態時の吊り具を基準として、容器の開口縁部を挟んで、各支柱部の一方の端部が、保持部の一部をなして容器の外方側に配置するとともに、支柱部の他方の端部が、保持部の他部をなして一方の端部よりも容器の内方側に配置する。
そこで本発明では、保持部が、保持部の一部に設けられて容器の開口縁部にその外側から係止可能な第一係止部と、保持部の他部に設けられて容器の開口縁部に設けられた孔部に挿設状態で係止可能な第二係止部とを有する。
本発明では、保持部に二種類の係止部を設けたことで、これら係止部を容器の構成に応じて適宜使い分けることができる。
【発明の効果】
【０００７】
本発明に係る第１発明によれば、使い勝手の良い吊り具を提供することができる。また第２発明によれば、更に使い勝手の良い吊り具を提供することができる。
【図面の簡単な説明】
【０００８】
【図１】吊り具と第一容器と皿部材の斜視図である。
【図２】吊り具一部の正面図である。
【図３】吊り具一部の側面図である。
【図４】吊り具一部と第一容器一部の斜視図である。
【図５】第一容器一部と皿部材の斜視図である。
【図６】第一容器一部と皿部材の断面図である。
【図７】吊り具一部と第二容器の斜視図である。
【図８】（ａ）は、第二容器一部の上面図であり、（ｂ）は、第二容器一部の断面図である。
【図９】吊り具一部と第二容器一部の斜視図である。
【発明を実施するための形態】
【０００９】
以下、本発明を実施するための形態を、図１〜図９を参照して説明する。
図１の吊り具２は、植物を収納可能な各種容器に取付けられる部材であり、後述の各部（吊手部４，支柱部６ａ〜６ｄ，保持部８）を有する。
そして本実施例では、この吊り具２を、後述する第一容器３０と第二容器５０のいずれかに装着することができる（図１及び図７を参照）。これら各容器３０，５０では、各種の植物を栽培可能であり、例えば朝顔やクレマチスなどのような蔓性の植物を栽培できる。そして各容器３０，５０で蔓性の植物を栽培する場合には、植物の蔓を、各支柱部６ａ〜６ｄ（詳細後述）の周囲に沿わせたのちこれらに紐材（図示省略）を巻き付けるなどして保持する（蔓の誘引を行う）。このためこの種の吊り具２は、例えば蔓の誘因作業をスムーズに行えるなどの使い勝手の良い構成であることが望まれる。
そこで本実施例では、後述する構成にて、吊り具２の使い勝手を向上させることとした。以下、各構成について詳述する。
【００１０】
［吊り具］
吊り具２は、硬質樹脂製の一体成形品であり、吊手部４と、複数の支柱部６ａ〜６ｄと、保持部８とが一体化されてなる（図２を参照）。ここで吊り具２の材質として、ポリエチレン、ポリプロピレン等の硬質樹脂を例示できる。
そして吊手部４は、パイプ材等の他部材に掛止可能な部位である。本実施例の吊手部４は、吊り具２先端に設けられたフック状（側面視で略逆Ｊ字状）の部分であり、例えばパイプ材等の他部材に掛止できる。
また吊手部４には、ラベル取付け用の掛止部４ａを設けることができる（図２を参照）。本実施例の掛止部４ａは、矢印状の部位であり、軸部４ｂ（径小）の先端に設けられた留め部４ｃを有する。留め部４ｃは、略円錐状（周面がテーパ状）とされており、先端側に向かうにつれて次第に径小となる。そしてラベル（図示省略）の孔部に、掛止部４ａをその留め部４ｃ（先端側）からスムーズに挿入したのち、ラベルの孔部周縁を軸部４ｂ（径小）側に係止して保持できる。
【００１１】
（支柱部）
また複数の支柱部６ａ〜６ｄは、各々、吊手部４から延びる部位（同一構成）であり、本体部１０（凸部１０ａ，凹部１０ｂ）と補強部１２（リブ構造）が一体化されてなる（図１〜図４を参照）。
本実施例では、後述するように各容器の開口縁部（３２，５２）を保持部８で保持した状態で、複数の支柱部６ａ〜６ｄ（硬質樹脂製）が、植物の成長方向（上下方向）に向けて自立した状態となる（図１を参照）。ここで支柱部６ａ〜６ｄの形成数は、これらが自立可能であるかぎり特に限定しないが、典型的には３本以上である（本実施例では４本である）。
そして本体部１０は、各支柱部の自立方向に長尺な平板部位である（図２及び図４を参照）。また補強部１２も、各支柱部の自立方向に長尺な平板部位である。本実施例の各支柱部６ａ〜６ｄは、各々、横断面視で略十字状をなしており、本体部１０（平板状）と、補強部１２（平板状）が直交状に一体化されてなる（折れにくく強度に優れる構成とされる）。
【００１２】
（凸部・凹部）
さらに本体部１０には、凸部１０ａと凹部１０ｂが、本体部１０の長尺方向に向けて順次形成される（図１〜図３では、便宜上、一部の凸部と凹部にのみ符号を付す）。
各凸部１０ａは、それぞれ本体部１０（両側）の短尺方向外方に突出する部位であり、吊り具２の取付け状態において各容器３０，５０の内外に向けてそれぞれ配置する（図１、図４及び図８を参照）。ここで凸部１０ａの形状は、例えば紐材を保持可能であるかぎり特に限定しない。この種の凸部１０ａの形状として、半円形や半楕円形、三角形や四角形等の多角形状を例示でき、特に蔓を傷つけないよう凸部１０ａの角部を曲線状とすることが望ましい。本実施例では、複数の凸部１０ａが、すべて略半円形状（同形同寸）とされて形成されている。なお凸部１０ａの突出寸法は、植物の成長スペースに極端にはみ出さない限り特に限定しない。
また複数の凹部１０ｂは、凸部１０ａよりも短尺方向内側に凹む部位であり、隣り合う凸部１０ａの間に形成される。
ここで凸部１０ａと凹部１０ｂの形成位置は、蔓を誘引すべき位置であればよく、本実施例では、本体部１０の略全長にわたって連続的に形成される（図１及び図２を参照）。ここで隣り合う凸部同士の間隔寸法（凸部の頂と頂の間の寸法）は特に限定しないが典型的に１０ｍｍ程度である。なお本体部１０に、複数の凸部１０ａと複数の凹部１０ｂが形成される箇所と、これらの非形成箇所を交互に形成することもできる（凸部と凹部を断続的に形成することもできる）。
【００１３】
（保持部）
また保持部８は、後述の各容器の開口縁部（３２，５２）を保持可能な部位であり、各支柱部６ａ〜６ｄの端部に設けられる（図１〜図４及び図７を参照）。
本実施例では、各支柱部６ａ〜６ｄ（補強部１２）が、保持部８を構成する端部側で二又に分かれており、第一保持部８ａと、第二保持部８ｂと、複数の係止部（第一係止部２１，第二係止部２２）が形成される。
第一保持部８ａ（保持部の一部）は、補強部１２の一方の端部をなす部位であり、第二保持部８ｂ（保持部の他部）は、補強部１２の他方の端部をなす部位である（図４を参照）。本実施例では、取付け状態時の吊り具２を基準として、各容器の開口縁部（３２，５２）を挟んで、第一保持部８ａが各容器３０，５０の外方側に配置する。また第二保持部８ｂが、第一保持部８ａよりも各容器３０，５０の内方側に配置する。
そして本実施例では、第一保持部８ａと第二保持部８ｂを、これらの連結端側を撓ませることにより、互いに離間する方向に拡開可能である。このため各容器の開口縁部（３２，５２）の幅寸法に合わせて、第一保持部８ａと第二保持部８ｂを適宜拡開させることができる。そして本体部１０（凸部１０ａ）が、第一保持部８ａと第二保持部８ｂの連結端側に延設されており（凸部１０ａがリブとして機能して）同部分が補強されている（図４及び図９を参照）。
【００１４】
（係止部）
そして第一係止部２１は、第一容器３０（詳細後述）の開口縁部３２にその外側から係止可能な部位であり、第一保持部８ａに設けられる（図２及び図４を参照）。本実施例の第一係止部２１は、第一保持部８ａ（平板状）の先端側を略逆Ｊ字状（側面視）に屈曲させてなる。なお本実施例では、第一保持部８ａの長さ寸法を、後述の開口縁部３２の長さ寸法（上下方向の長さ寸法）よりも大きく設定することができる。こうすることで別の容器（第一容器３０よりも開口縁部が下方に延長された容器）にも第一係止部２１を係止できる（汎用性に優れる構成となる）。
また第二係止部２２は、第二容器５０（詳細後述）の開口縁部５２に設けられた挿入部５４に挿設状態で係止可能な部位であり、第二保持部８ｂに設けられる（図７及び図９を参照）。本実施例の第二係止部２２は、第二保持部８ｂ（平板状）先端の矢尻状の部位であり、幅狭の首部２２ａと、首部２２ａよりも幅広の頭部２２ｂ（正面視で略半円形状の部位）を有する。
【００１５】
［第一容器］
第一容器３０（樹脂製）は、略円筒形状の容器（上端開放状）であり、上部側の開口から底部に向けて次第に径小となる（図１、図４〜図６を参照）。
第一容器３０の開口縁部３２は、フランジ状とされており、同容器の上部側で径方向外側に張出したのち下方に向けて屈曲する（図４を参照）。
また第一容器３０の底部側には、水取り用の貫通溝部３４と、凹み部３６（係止孔３８）が形成される（図５を参照）。貫通溝部３４は、底部の周縁側に適宜の間隔で形成される。また凹み部３６は、底部中央に形成された略円形状の窪み部位であり、その周縁に沿って複数の係止孔３８が形成される。複数の係止孔３８は、それぞれ凹部１０ｂの内側に沿って適宜の間隔で形成された長孔であり、一側の開口寸法が大きくされており、他側の開口寸法が小さくされる。
【００１６】
さらに本実施例では、第一容器３０の底面側に、水取り用の皿部材４０を一体的に取付けることができる（図１、図５及び図６を参照）。
皿部材４０は、第一容器３０の底部よりも大きな略円形状の部材であり、その周縁が上方に向けて屈曲する（図６を参照）。皿部材４０の中央（突出部分）には、略逆Ｌ字状の複数の係止突起４２が突出しており、それぞれ底部の係止孔３８に対面可能に配置する。
そして本実施例では、第一容器３０の底面側に皿部材４０を配置したのち、複数の係止突起４２を、それぞれ係止孔３８の一側（開口寸法の大きい部分）に挿入する。この状態で第一容器３０に対して皿部材４０を相対回転させつつ、係止突起４２を、係止孔３８の一側から他側に移動させる。こうして係止孔３８の他側（開口寸法の小さい部分）の周縁に係止突起４２を係止することで、第一容器３０に皿部材４０を取付けて一体化することができる（図６を参照）。
【００１７】
［第二容器］
第二容器５０（樹脂製）は、略四角柱状の容器（上端開放状）であり、上部側の開口から底部に向けて次第に径小となる（図７〜図９を参照）。
第二容器５０の開口縁部５２（上方視で略矩形）は、フランジ状とされており、同容器の上部側で径方向外側に張出したのち下方に向けて屈曲する（図７を参照）。
そして開口縁部５２の各辺（上面）には、各々、対応する第二係止部２２を挿入可能な挿入孔５４（上方視で長方形状）が形成される（図８を参照）。本実施例では、後述するように各第二係止部２２を挿入孔５４に挿入しつつ下方に向けて突出させることとなる。
そして第二容器５０の外面には、一対の第一突部５６ａ，５６ｂが適宜の間隔で突出しており、それぞれ第二係止部２２（挿入時）に対面可能に配置する。一対の第一突部５６ａ，５６ｂは、それぞれ挿入孔５４を臨む面がテーパ状をなしており、上方から下方に向かうにつれて次第にその突出寸法が大きくなる。
また開口縁部５２（下方に屈曲した部分）の内面にも、一対の第二突部５８ａ，５８ｂが突出しており、それぞれ第二係止部２２（挿入時）に対面可能に配置する。そして本実施例の一対の第二突部５８ａ，５８ｂは、挿入孔５４を臨む面が第一突部５６ａ，５６ｂと同様のテーパ状をなす。そして一対の第二突部５８ａ，５８ｂは、適宜の間隔で離間配置しており（第二係止部２２の首部２２ａを配置可能なクリアランスが設けられており）、それぞれ第一突部５６ａ，５６ｂの内側に配置する。
【００１８】
［吊り具の装着］
図１及び図４を参照して、第一容器３０に吊り具２を装着する。このとき複数の支柱部６ａ〜６ｄを、第一容器３０の開口縁部３２に沿って適宜の間隔で略円状に広げつつ、各保持部８で開口縁部３２を保持する。
本実施例では、各第一保持部８ａを開口縁部３２の外側に配置しつつ、各第一係止部２１を、開口縁部３２の下縁に係止する。これと同時に第二保持部８ｂを、第一容器３０の内面側に押し当てることにより、第一保持部８ａと第二保持部８ｂにて開口縁部３２を把持状態で保持できる（安定的に保持できる）。
こうして吊り具２を第一容器３０に取付けたのち、例えば吊手部４を他部材に引っ掛けて第一容器３０を吊り下げ状態とすることができる。また本実施例では、吊手部４を他部材から離しても各支柱部６ａ〜６ｄがほぼそのままの状態で自立する。このため第一容器３０を、床や地面やベンチなどに適宜直置きすることができる。そして第一容器３０の運搬時には、吊手部４を持ち手として、第一容器３０を、皿部材４０とともに持ち運びすることができる。
【００１９】
また図７〜図９を参照して、第二容器５０に吊り具２を装着する。このとき複数の支柱部６ａ〜６ｄを、開口縁部５２の各辺にそれぞれ配置しつつ、各保持部８で開口縁部５２を保持する。
本実施例では、各第二保持部８ｂの第二係止部２２を、開口縁部５２の各辺に設けられた挿入孔５４にそれぞれ挿入する。このとき第二係止部２２の挿入力にて、各第一突部５６ａ，５６ｂと各第二突部５８ａ，５８ｂを押し退けつつ、第二係止部２２（頭部２２ｂ）を各凸部の下方に配置させる。そして各突部５６ａ，５６ｂ，５８ａ，５８ｂが第二容器５０の弾性的な復元力にて元の状態に戻る。こうして第二係止部２２（首部２２ａ）が第二突部５８ａ，５８ｂの間に配置する。また頭部２２ｂの縁部が各突部５６ａ，５６ｂ，５８ａ，５８ｂにそれぞれ係止されることで、第二係止部２２が挿入状態で係止されることとなる。
【００２０】
［植物栽培時の吊り具の使用態様］
そして図１（図９）を参照して、第一容器３０（又は第二容器５０）で蔓性の植物を栽培しつつ、植物の蔓を、各支柱部６ａ〜６ｄの周囲に紐材で保持する（蔓の誘引を行う）。
このとき本実施例では、各支柱部６ａ〜６ｄの長尺方向に凸部１０ａと凹部１０ｂが順次形成されている（図１〜図４を参照）。このため凸部１０ａと凹部１０ｂの間に紐材を保持することで、紐材が滑り落ちることを好適に阻止できる（使い勝手の良い構成である）。
さらに本実施例では、凸部１０ａと凹部１０ｂが、各支柱部６ａ〜６ｄの略全長にわたって連続的に形成される。このため植物の成長に合わせて、各支柱部６ａ〜６ｄの適宜の位置に紐材を巻付けつつ蔓を誘引することができる。
【００２１】
また本実施例では、保持部８で、各容器の開口縁部３２，５２を保持できる。このため例えば支柱部６ａ〜６ｄを各容器内の用土に挿さなくて良くなるため、植物の根を極力傷めることがない。
また本実施例では、第一容器３０に皿部材４０を一体化したことにより、水管理が容易になる。例えば第一容器３０の上部開口からジョウロなどで潅水を行うと、皿部材４０がない場合には余分な水は貫通溝部３４から全て下に流れてしまう。これとは異なり本実施例では、第一容器３０と皿部材４０が一体化されているため、貫通溝部３４から流れ出た水が皿部材４０へ留まり、この留まった水が第一容器３０の乾燥した用土に再び吸水される（潅水回数を軽減可能な構成である）。これは生産を行う人、一般家庭で園芸を楽しむ方にとってもメリットとなり得る。
そして本実施例では、各容器３０，５０を吊り下げた状態で栽培可能であるとともに、各容器３０，５０を、地面やベンチなどに直置きした状態（吊手部４を他部材から離した状態）でも栽培可能である。このため栽培ハウス内に、各容器３０，５０を直置き状態と吊り下げ状態の双方で配置可能となり（多数の容器を配置可能となり）、植物の生産量も増やすことができる。
【００２２】
以上説明したとおり本実施例では、自立状態の支柱部６ａ〜６ｄに順次設けられた凸部１０ａと凹部１０ｂにて、例えば蔓誘引用の紐材を安定的に保持することができる。また本実施例では、保持部８に、第一係止部２１と第二係止部２２を設けたことで、これら係止部を容器（３０，５０）の構成に応じて使い分けることができる。
また本実施例では、各支柱部６ａ〜６ｄが、吊手部４から適宜の間隔で離間しつつそれぞれ自立する構成である。このため各支柱部６ａ〜６ｄを所望の離間状態で保持するための部材（リング材など）を使用することなく、各支柱部６ａ〜６ｄを所定の位置に離間状態で配置させることができる。
また本実施例では、第一容器３０に皿部材４０を一体化できるため、吊手部４を持ち手として、第一容器３０と皿部材４０を同時に持ち運びできる（生産現場、小売店、消費者などにとって運搬性能に優れる構成である）。
そして本実施例では、各支柱部６ａ〜６ｄが、本体部１０と補強部１２を有して、横断面視で略十字状をなす（折れにくく強度に優れる構成である）。このため例えば小売店などで吊り具２と各容器３０，５０を一体化して直置きした場合にも、各支柱部６ａ〜６ｄが破損して植物が折れてしまうことを軽減でき、店頭での商品ロスも軽減することができる。
このため本実施例によれば、使い勝手の良い吊り具２を提供することができる。
【００２３】
本実施形態の吊り具は、上述した実施形態に限定されるものではなく、その他各種の実施形態を取り得る。
（１）本実施形態では、各支柱部６ａ〜６ｄの構成を例示したが、支柱部の構成を限定する趣旨ではない。例えば各支柱部において、本体部と補強部を複数又は単数組み合わせて一体化することにより、横断面視で、Ｔ字状、Ｙ字状、米印状などの形状とすることができる。なお複数の支柱部の一部を、本体部と補強部を有する構成とすることができ、この場合には他の支柱部を、本体部又は補強部のみで形成することができる。
（２）また本実施形態では、本体部１０に形成された凸部１０ａと凹部１０ｂを例示したが、これら凸部と凹部の構成を限定する趣旨ではない。例えば凸部と凹部を、本体部の一側にのみ設けることができる。また凸部と凹部を、本体部と補強部の双方に設けることができる。また本実施例では、複数の凸部をすべて同形同寸としたが、各凸部をそれぞれ異なる形状又は寸法で形成することもできる。
【００２４】
（３）また本実施形態では、吊手部４の構成を例示したが、同部の構成を限定する趣旨ではない。吊手部は、パイプ材等の他部材に掛止可能な各種の構成（形状，寸法等）を取り得る。
（４）また本実施形態では、保持部８の構成を例示したが、同部の構成を限定する趣旨ではない。保持部は、容器の開口縁部を保持可能な各種の構成（形状，寸法等）を取り得る。例えば第一保持部と第一係止部のみからなる保持部や、第二保持部と第二係止部のみからなる保持部を採用できる。また第一保持部と第二保持部の双方に第一係止部を設けた保持部を採用することもできる。
（５）また本実施形態では、第一容器３０と第二容器５０の構成を例示したが、これら容器の構成を限定する趣旨ではない。例えば第一容器に、第二係止部を挿入可能な挿入部を設けることができる。また第二容器に、皿部材を一体化させることができ、また第一係止部を係止可能な構成とすることもできる。そして容器として、第一容器や第二容器などの植木鉢状の容器や、プランター等の縦長の容器を例示できる。縦長の容器の場合には、複数の吊り具を装着することもできる。なお各容器は、蔓性の植物のほか、各種の植物を栽培可能である。
【符号の説明】
【００２５】
２     吊り具
４     吊手部
４ａ   掛止部
４ｂ   軸部
４ｃ   留め部
６ａ〜６ｄ  支柱部
８     保持部
８ａ   第一保持部
８ｂ   第二保持部
１０   本体部
１０ａ 凸部
１０ｂ 凹部
１２   補強部
２１   第一係止部
２２   第二係止部
３０   第一容器
３２   第一容器の開口縁部
３４   貫通溝部
３６   凹み部
３８   係止孔
４０   皿部材
４２   係止突起
５０   第二容器
５２   第二容器の開口縁部
５４   挿入孔
５６ａ，５６ｂ  第一突部
５８ａ，５８ｂ  第二突部
【図１】
2015065838.tif 000003
【図２】
2015065838.tif 000004
【図３】
2015065838.tif 000005
【図４】
2015065838.tif 000006
【図５】
2015065838.tif 000007
【図６】
2015065838.tif 000008
【図７】
2015065838.tif 000009
【図８】
2015065838.tif 000010
【図９】
2015065838.tif 000011